(57)【要約】      （修正有）【課題】ストローを挿入しやすい複合シールフィルムを提供する。【解決手段】飲料カップのカップ開口の周縁部に接着するために用いられ、且つ前記カップ開口の周縁部に隣接する対応箇所にはスルーホール１１０ｂを有しているベースフィルム１１０と、底面には接着剤が付着されていると共にその一端は前記層ベースフィルムの前記スルーホールの一側に固着され、前記層ベースフィルムに重複して貼り剥がし可能であり、これによりユーザーが必要に応じて前記スルーホールを露出または封止可能にする再粘着カバーシート１２０と、を備えて、前記層ベースフィルムは貼り合わせ層及び表面層が重畳することにより形成されている複合層、或いは貼り合わせ層、断熱層、及び表面層が重畳することにより形成されている複合層を含む。【選択図】図１
0003234967.tif 000002
【実用新案登録請求の範囲】
【請求項１】
飲料カップのカップ開口の周縁部に接着するために用いられ、且つ前記カップ開口の周縁部に隣接する対応箇所にはスルーホールを有し、前記層ベースフィルムは貼り合わせ層及び表面層が重畳することにより形成されている複合層、或いは貼り合わせ層、断熱層、及び表面層が重畳することにより形成されている複合層を含むベースフィルムと、
底面には接着剤が付着されていると共にその一端は前記層ベースフィルムの前記スルーホールの一側に固着され、前記層ベースフィルムに重複して貼り剥がし可能であり、これによりユーザーが必要に応じて前記スルーホールを露出または封止可能にする再粘着カバーシートと、を備えていることを特徴とする複合シールフィルム。
【請求項２】
前記層ベースフィルムにはパターンが印刷されていることを特徴とする請求項１に記載の複合シールフィルム。
【請求項３】
前記再粘着カバーシートは細長い楕円形状を呈していることを特徴とする請求項１に記載の複合シールフィルム。
【請求項４】
前記再粘着カバーシートは三角形を呈していることを特徴とする請求項１に記載の複合シールフィルム。
【請求項５】
前記再粘着カバーシートは水滴状を呈していることを特徴とする請求項１に記載の複合シールフィルム。
【請求項６】
カップ本体及びシールフィルムを有している飲料カップであって、
前記シールフィルムは、
前記カップ本体のカップ開口の周縁部に接着するために用いられ、且つ前記カップ開口の周縁部に隣接する対応箇所にはスルーホールを有し、前記層ベースフィルムは貼り合わせ層及び表面層が重畳することにより形成されている複合層、或いは貼り合わせ層、断熱層、及び表面層が重畳することにより形成されている複合層を含むベースフィルムと、
底面には接着剤が付着されていると共にその一端は前記層ベースフィルムの前記スルーホールの一側に固着され、前記層ベースフィルムに重複して貼り剥がし可能であり、これによりユーザーが必要に応じて前記スルーホールを露出または封止可能にする再粘着カバーシートと、を備えていることを特徴とする飲料カップ。
【請求項７】
前記層ベースフィルムにはパターンが印刷されていることを特徴とする請求項６に記載の飲料カップ。
【請求項８】
前記再粘着カバーシートは細長い楕円形状を呈していることを特徴とする請求項６に記載の飲料カップ。
【請求項９】
前記再粘着カバーシートは三角形を呈していることを特徴とする請求項６に記載の飲料カップ。
【請求項１０】
前記再粘着カバーシートは水滴状を呈していることを特徴とする請求項６に記載の飲料カップ。
【考案の詳細な説明】
【技術分野】
【０００１】
本考案は、シールフィルムに関し、より詳しくは、飲料カップのシールフィルム構成に関する。
【背景技術】
【０００２】
現在ドリンクショップでは、一般的に店内に飲料シール機を設置して飲料が盛られたカップに対しシール作業を行うか、或いはカップカバーにより飲料カップに蓋をし、消費者が携帯しやすいようにしている。
【考案の概要】
【考案が解決しようとする課題】
【０００３】
しかしながら、一般的なシールフィルムはストローを刺しにくいという問題があった。
【０００４】
そこで、本考案者は上記の欠点が改善可能と考え、鋭意検討を重ねた結果、合理的設計で上記の課題を効果的に改善する本考案のシールフィルムの提案に至った。
【０００５】
本考案は前記技術的課題に鑑みて開発されたものであり、シールフィルムを提供することを主な目的とする。換言すれば、重複して貼着可能なフィルム体によりベースフィルムのスルーホールを被覆することで、ユーザーが必要に応じて前記スルーホールを露出または封止可能にし、これによりユーザーがエコロジーなストローを飲料カップ中に挿入しやすくし、或いはユーザーが穴から直接吸飲しやすくする。また、ユーザーが前記エコロジーなストローを引き抜いた後に前記重複して貼着可能なフィルム体により前記スルーホールを密封することで、飲料が前記飲料カップから零れないようにし、カップカバーを設けずともよくし、使い捨てストローの使用も減らし、プラスチックを減らしてエコロジーな効果を達成する。
【課題を解決するための手段】
【０００６】
上記課題を解決するために、本考案のある態様のシールフィルムは、
飲料カップのカップ開口の周縁部に接着するために用いられ、且つ前記カップ開口の周縁部に隣接する対応箇所にはスルーホールを有し、前記層ベースフィルムは貼り合わせ層及び表面層が重畳することにより形成されている複合層、或いは貼り合わせ層、断熱層、及び表面層が重畳することにより形成されている複合層を含むベースフィルムと、
底面には接着剤が付着されていると共にその一端は前記層ベースフィルムの前記スルーホールの一側に固着され、前記層ベースフィルムに重複して貼り剥がし可能であり、これによりユーザーが必要に応じて前記スルーホールを露出または封止可能にする再粘着カバーシートと、を備えている。
【０００７】
本考案の一態様によれば、前記層ベースフィルムにはパターンが印刷されている。
【０００８】
本考案の一態様によれば、前記再粘着カバーシートは細長い楕円形状を呈している。
【０００９】
本考案の一態様によれば、前記再粘着カバーシートは三角形を呈している。
【００１０】
本考案の一態様によれば、前記再粘着カバーシートは水滴状を呈している。
【００１１】
また、上述した目的を達成するために、本考案の別の態様は、飲料カップである。この飲料カップは、カップ本体及びシールフィルムを有し、前記シールフィルムは、
前記カップ本体のカップ開口の周縁部に接着するために用いられ、且つ前記カップ開口の周縁部に隣接する対応箇所にはスルーホールを有し、前記層ベースフィルムは貼り合わせ層及び表面層が重畳することにより形成されている複合層、或いは貼り合わせ層、断熱層、及び表面層が重畳することにより形成されている複合層を含むベースフィルムと、
底面には接着剤が付着されていると共にその一端は前記層ベースフィルムの前記スルーホールの一側に固着され、前記層ベースフィルムに重複して貼り剥がし可能であり、これによりユーザーが必要に応じて前記スルーホールを露出または封止可能にする再粘着カバーシートと、を備えている。
【００１２】
本考案の一態様によれば、前記層ベースフィルムにはパターンが印刷されている。
【００１３】
本考案の一態様によれば、前記再粘着カバーシートは細長い楕円形状を呈している。
【００１４】
本考案の一態様によれば、前記再粘着カバーシートは三角形を呈している。
【００１５】
本考案の一態様によれば、前記再粘着カバーシートは水滴状を呈している。
【考案の効果】
【００１６】
本考案によれば、次のような効果がある。
本考案に係る複合シールフィルムは重複して貼着可能なフィルム体によりベースフィルムのスルーホールを被覆することにより、ユーザーが必要に応じて前記スルーホールを露出または封止可能にし、ユーザーがストローを飲料カップ中に挿入しやすくし、或いはユーザーが穴から直接吸飲しやすくする。また、ユーザーがストローを引き抜いた後に前記重複して貼着可能なフィルム体により前記スルーホールを密封することで飲料が前記飲料カップから零れないようにする。これにより、カップカバーを設けずともよくし、使い捨てストローの使用を減らし、プラスチックを減らすエコロジーな効果を達成する。
【００１７】
本明細書及び図面の記載により、少なくとも、以下の事項が明らかとなる。
【図面の簡単な説明】
【００１８】
【図１】本考案の一実施形態に係る複合シールフィルムを模式的に示した分解図である。
【図２】本考案の複合シールフィルムが連続ストリップに形成される概略構成図である。
【図３】本考案の一実施形態に係る飲料カップを示す概略構成図である。
【図４】ユーザが図３に示す前記飲料カップの細長い楕円形状を呈する再粘着性カバーシートを開いた後、ストローをスルーホールに挿入する概略図である。
【考案を実施するための形態】
【００１９】
以下、本考案の実施の形態について、図面を参照して詳細に説明する。なお、本考案は以下の例に限定されるものではなく、本考案の要旨を逸脱しない範囲で、任意に変更可能であることは言うまでもない。
【００２０】
図１は本考案の一実施形態に係る複合シールフィルム１００を模式的に示した分解図である。複合シールフィルム１００はベースフィルム１１０及び再粘着カバーシート１２０を有している。
【００２１】
前記層ベースフィルム１１０の中央領域の周縁部１１０ａは飲料カップのカップ開口の周縁部に接着するために用いられ、且つ中央領域の周縁部１１０ａに近接する箇所にはスルーホール１１０ｂを有し、前記層ベースフィルム１１０は貼り合わせ層及び表面層が重畳することにより形成されている複合層、或いは貼り合わせ層、断熱層、及び表面層が重畳することにより形成されている複合層を含む。前記貼り合わせ層、断熱層、及び表面層は共にプラスチック材料で構成され、前記貼り合わせ層は熱可塑性プラスチック材料層であり、前記断熱層は隔熱プラスチック材料層であり、前記表面層は透明プラスチック材料層である。前記層ベースフィルム１１０を飲料カップのカップ開口の周縁部時に接着すると、前記貼り合わせ層が最下方に位置し、前記断熱層が中央に位置し、前記表面層が最上方に位置する。また、可能な実施例において、前記表面層の下面には文字及び／或いはパターンがさらに印刷されている。
【００２２】
前記再粘着カバーシート１２０は上面１２０ａ及び底面１２０ｂを有し、底面１２０ｂには接着剤が付着されていると共に一端は前記層ベースフィルム１１０の前記スルーホール１１０ｂの一側に固着され、前記再粘着カバーシート１２０が前記層ベースフィルム１１０に重複して貼り剥がし可能になり、これによりユーザーが必要に応じて前記スルーホール１１０ｂを露出または封止可能になる。
【００２３】
また、可能な実施形態では、前記層ベースフィルム１１０にはパターンが印刷されている。
【００２４】
また、可能な実施形態では、前記再粘着カバーシート１２０は、ユーザーが操作しやすいように細長い楕円形状、三角形、または水滴状を呈している。
【００２５】
また、可能な実施形態では、複合シールフィルム１００は連続ストリップ中に形成され、飲料シール機が飲料のカップに対しシール作業を行いやすくしている。図２は本考案の複合シールフィルムが連続ストリップに形成される概略構成図である。
【００２６】
上述の説明の通り、本考案は飲料カップをさらに提供する。図３を参照すると、これは本考案の飲料カップの実施例の概略図である。図３に示すように、前記飲料カップはカップ本体２００及びシールフィルムを有し、前記シールフィルムはベースフィルム１１０及び再粘着カバーシート１２０を有している。
【００２７】
前記層ベースフィルム１１０にはパターンが印刷され、その中央領域の周縁部１１０ａはカップ本体２００のカップ開口の周縁部２００ａに接着され、且つ中央領域の周縁部１１０ａに近接する箇所にはスルーホール１１０ｂを有し、前記層ベースフィルム１１０は貼り合わせ層及び表面層が重畳することにより形成されている複合層、或いは貼り合わせ層、断熱層、及び表面層が重畳することにより形成されている複合層を含む。前記貼り合わせ層、断熱層、及び表面層は共にプラスチック材料で構成され、前記貼り合わせ層は熱可塑性プラスチック材料層であり、前記断熱層は隔熱プラスチック材料層であり、前記表面層は透明プラスチック材料層である。前記層ベースフィルム１１０を飲料カップのカップ開口の周縁部時に接着すると、前記貼り合わせ層が最下方に位置し、前記断熱層が中央に位置し、前記表面層が最上方に位置する。また、前記パターンは前記表面層の下面に印刷されている。
【００２８】
前記再粘着カバーシート１２０は上面１２０ａ及び底面１２０ｂを有し、底面１２０ｂには接着剤が付着されていると共にその一端は前記層ベースフィルム１１０の前記スルーホール１１０ｂの一側に固着され、前記再粘着カバーシート１２０が前記層ベースフィルム１１０に重複して貼り剥がし可能になっている。これにより、ユーザーが必要に応じて前記スルーホール１１０ｂを露出または封止可能になる。可能な実施形態では、前記再粘着カバーシートはユーザーが操作しやすいように細長い楕円形状、三角形、或いは水滴状を呈している。図４はユーザーが図３に示す前記飲料カップの細長い楕円形状を呈している再粘着カバーシート１２０を開いた後、ストロー２１０を前記スルーホール１１０ｂ中に挿入する概略図である。
【００２９】
前述の設計により、本考案は下記利点を有している。
本考案に係る複合シールフィルムは重複して貼着可能なフィルム体によりベースフィルムのスルーホールを被覆することにより、ユーザーが必要に応じて前記スルーホールを露出または封止可能となり、こうしてユーザーがストローを飲料カップに挿入しやすくし、或いはユーザーが穴から直接吸飲しやすくしている。また、ユーザーがストローを引き抜いた後に前記重複して貼着可能なフィルム体により前記スルーホールを密封することで、飲料が前記飲料カップから零れないようにしている。これにより、カップカバーを設けずともよくし、使い捨てストローの使用を減らし、プラスチックを減らすエコロジーな効果を達成している。実は、本考案に係る各複合シールフィルムに使用されているプラスチック材料は約0.4〜0.5gにすぎず、従来のホットドリンクのカップカバーには4〜5gのプラスチック材料が使用されているのに比べてはるかに少ない。
【００３０】
以上、本考案を実施の形態をもとに説明した。この実施の形態は例示であり、それらの各構成要素や各処理プロセスの組合せにいろいろな変形例が可能なこと、またそうした変形例も本考案の範囲にあることは当業者に理解されるところである。
【符号の説明】
【００３１】
１００  複合シールフィルム
１１０  ベースフィルム
１１０ａ  中央領域の周縁部
１１０ｂ  スルーホール
１２０  再粘着カバーシート
１２０ａ  上面
１２０ｂ  底面
２００  カップ本体
２００ａ  カップ開口の周縁部
２１０  ストロー
【図１】
0003234967.tif 000003
【図２】
0003234967.tif 000004
【図３】
0003234967.tif 000005
【図４】
0003234967.tif 000006